(57)【要約】【課題】  効率的に冷却風を取り入れることができ、また調理者に排気風が当たって不快感を生じさせることのない組み込み式誘導加熱調理器を提供する。【解決手段】  本体３に、加熱を行う誘導コイル７と、該誘導コイル７に通電を行う電源部６と、少なくとも誘導コイル７及び電源部６のいずれか一方を冷却する冷却ファン８と、該冷却ファン８が冷却風を吸引するための冷却風吸気口１８と、冷却風を排気するための冷却風排気口４０とを備え、冷却風吸気口１８が、本体３の組み込まれた流し台１の上面と略同一平面上に配置され、冷却風排気口４０が、本体３の組み込まれた流し台１の内部に配置されているものである。【選択図】        図１
2006059740.tif 000002
【特許請求の範囲】
【請求項１】
本体に、加熱を行う誘導コイルと、該誘導コイルに通電を行う電源部と、少なくとも前記誘導コイル及び前記電源部のいずれか一方を冷却する冷却ファンと、該冷却ファンが冷却風を吸引するための冷却風吸気口と、前記冷却風を排気するための冷却風排気口とを備え、
前記冷却風吸気口は、前記本体の組み込まれた流し台の上面と略同一平面上に配置され、前記冷却風排気口は、前記本体の組み込まれた流し台の内部に配置されていることを特徴とする組み込み式誘導加熱調理器。
【請求項２】
前記冷却風吸気口に、開閉自在な吸気口蓋が設けられていることを特徴とする請求項１記載の組み込み式誘導加熱調理器。
【請求項３】
本体に、加熱を行う誘導コイルと、該誘導コイルに通電を行う電源部と、少なくとも前記誘導コイル及び前記電源部のいずれか一方を冷却する冷却ファンと、該冷却ファンが冷却風を吸引するための冷却風吸気口とを備え、
前記冷却風吸気口は、前記本体の組み込まれた流し台の上面と略同一平面上に配置され、前記冷却風吸気口に、開閉自在な吸気口蓋が設けられていることを特徴とする組み込み式誘導加熱調理器。
【請求項４】
前記電源部から前記誘導コイルへの通電の有無を検知する通電検知手段と、前記吸気口蓋を開閉させる蓋開閉手段を備え、該蓋開閉手段は、前記通電検知手段からの検知信号に基づいて前記吸気口蓋を開閉することを特徴とする請求項２又は３記載の組み込み式誘導加熱調理器。
【請求項５】
前記誘導コイル、前記冷却風吸気口及び前記吸気口蓋を複数備え、前記冷却風吸気口及び前記吸気口蓋は、前記誘導コイルの略後方に配置され、前記蓋開閉手段は、前記通電検知手段の検知信号に基づいて、通電の行われている誘導コイルの略後方に配置された吸気口蓋を開くことを特徴とする請求項４記載の組み込み式誘導加熱調理器。
【請求項６】
前記吸気口蓋に非接触温度検出手段が設けられ、前記吸気口蓋はその一辺を軸として開閉し、前記非接触温度検出手段は、前記吸気口蓋が開いているときに前記誘導コイルで加熱されている調理具の温度を検出することを特徴とする請求項４又は５記載の組み込み式誘導加熱調理器。
【請求項７】
前記吸気口蓋の開閉角度を調整する角度調整手段を備え、該角度調整手段は、前記非接触温度検出手段の検出角度を調整し、前記非接触温度検出手段が最大温度を示す検出角度で前記吸気口蓋を保持することを特徴とする請求項６記載の組み込み式誘導加熱調理器。
【請求項８】
前記冷却風吸気口に内接し、上下に移動可能な土手を備え、該土手は、前記吸気口蓋の開閉と連動して上下に移動することを特徴とする請求項６又は７記載の組み込み式誘導加熱調理器。
【請求項９】
前記吸気口蓋の表面に、通電時間を表示する表示盤を備えたことを特徴とする請求項６〜８のいずれかに記載の組み込み式誘導加熱調理器。
【請求項１０】
空気浄化装置を備え、該空気浄化装置は、前記冷却風吸気口から吸引された冷却風を浄化することを特徴とする請求項１〜９のいずれかに記載の組み込み式誘導加熱調理器。
【請求項１１】
前記空気浄化装置は、凝縮器を備え、該凝縮器は、前記冷却風に含まれる水蒸気を除去することを特徴とする請求項１０記載の組み込み式誘導加熱調理器。
【請求項１２】
前記本体の上面を形成するトッププレートを備え、前記吸気口蓋は、前記トッププレートと略同一平面となるように配置され、前記トッププレートの吸気口蓋の周辺部を形成する材料と、前記吸気口蓋を形成する材料が同じであることを特徴とする請求項１〜１１のいずれかに記載の組み込み式誘導加熱調理器。
【発明の詳細な説明】
【技術分野】
【０００１】
本発明は、組み込み式誘導加熱調理器に関し、特に一般家庭の流し台等に組み込まれる組み込み式誘導加熱調理器に関する。
【背景技術】
【０００２】
従来の組込型誘導加熱調理器では、吸気孔、排気孔を共に流し台の上面に位置して配したものや（例えば、特許文献１参照）、組込型誘導加熱調理器本体の下面に吸気孔を設け、排気孔を流し台の上面に位置して配したものがあった（例えば、特許文献２参照）。
【特許文献１】特開２０００−２２３２５０号公報（図１、図２）
【特許文献２】特開平１１−３５４２６３号公報（図１、図２）
【発明の開示】
【発明が解決しようとする課題】
【０００３】
しかし、従来の組込型誘導加熱調理器では（例えば、特許文献１）、吸気孔、排気孔を共に流し台の上面に位置して配しているため、吸気孔が十分な開口面積を得られず、冷却風として必要な比較的低い温度の空気を十分に得ることができないという問題点があった。また排気孔を流し台の上面に位置して配した場合には（例えば、特許文献１、特許文献２参照）、調理中に組込型誘導加熱調理器本体の上面から上方に排出された排気風が調理者の顔や手に当たって不快感を生じるという問題点があった。
【０００４】
本発明は、効率的に冷却風を取り入れることができ、また調理者に排気風が当たって不快感を生じさせることのない組み込み式誘導加熱調理器を提供することを目的とする。
【課題を解決するための手段】
【０００５】
本発明に係る組み込み式誘導加熱調理器は、本体に、加熱を行う誘導コイルと、該誘導コイルに通電を行う電源部と、少なくとも誘導コイル及び電源部のいずれか一方を冷却する冷却ファンと、該冷却ファンが冷却風を吸引するための冷却風吸気口と、冷却風を排気するための冷却風排気口とを備え、冷却風吸気口が、本体の組み込まれた流し台の上面と略同一平面上に配置され、冷却風排気口が、本体の組み込まれた流し台の内部に配置されているものである。
【発明の効果】
【０００６】
本発明に係る組み込み式誘導加熱調理器は、冷却風吸気口が、本体の組み込まれた流し台の上面と略同一平面上に配置され、冷却風排気口が、本体の組み込まれた流し台の内部に配置されているため、冷却に必要な比較的冷たい空気を十分に得ることができ、また調理中に排気風が調理者に当たって不快感を生ずるのを防止することができる。
【発明を実施するための最良の形態】
【０００７】
実施形態１．
図１は、本発明の実施形態１に係る組み込み式誘導加熱調理器を上面側から見た斜視図である。また図２は、図１に示す組み込み式誘導加熱調理器の主要な構成部品を示す分解斜視図である。以下、図１及び図２を用いて本実施形態１に係る組み込み式誘導加熱調理器について説明する。
一般家庭等で使用される流し台１には、上面開口部２が設けられており、この上面開口部２には、本実施形態１に係る組み込み式誘導加熱調理器の調理器本体３が嵌め込まれている。調理器本体３は、流し台１の上面とほぼ同一平面となるように配置されたトッププレート４、本体外側筐体５、電源部６、誘導コイル７、冷却ファン８、操作パネル９、後方支持パネル１０等から構成されている。
電源部６は例えば回路基板からなり、誘導コイル７に通電を行う。また誘導コイル７は、調理具指示円３０に載せられた鍋等の調理具を加熱する。なお調理具指示円３０は、例えばトッププレート４の裏面側から描かれており、誘導コイル７の配置位置を指示するために設けられている。冷却ファン８は、少なくとも誘導コイル７及び電源部６のいずれか一方を冷却するようになっている。
【０００８】
本体外側筐体５は上面が開口した箱状になっており、底面に前側支持部１１、後側支持部１２、側面支持部１３を具備し、前側支持部１１は操作パネル係合部１４と係合し、後側支持部１２は後方支持パネル係合部１５と係合している。上面開口部２の側壁には流し台支持部１６が設けられ、調理器本体３は操作パネル９及び後方支持パネル１０が上面開口部２の前後縁に係止されると共に、流し台支持部１６に側面支持部１３が係止されている。またトッププレート４と上面開口部２の内側との隙間はゴムシール材１７で封止されている。さらに前側支持部１１には、冷却風排気口４０が設けられている。なおこの冷却風排気口４０は、例えば本体外側筐体５の底面に設けてもよい。
トッププレート４には冷却風吸気口１８が設けられており、冷却風吸気口１８には吸気口蓋１９が設けられている。吸気口蓋１９は、閉まった状態において、調理器本体３の組み込まれた流し台１の上面とほぼ同一平面上に位置するように配置され、冷却風吸気口１８の内側に突設した蓋支持部２１によって支持されている。この状態において吸気口蓋１９は、トッププレート４の上面とほぼ同一平面となるようになっている。また吸気口蓋１９の付近には蓋開閉駆動手段２０が設けられており、吸気口蓋１９は蓋開閉駆動手段２０によって開閉されるようになっている。
【０００９】
ここで図１及び図２に示す組み込み式誘導加熱調理器の動作について説明する。調理器本体３の内部に設けられた電源部６に外部から電力が供給されることで、誘導コイル７に高周波電流が通電される。誘導コイル７には、通電の有無を検知する通電検知手段（図１、図２において図示せず）が設けられており、通電があるときは通電検知手段は検知信号を制御部（図１、図２において図示せず）を介して蓋開閉駆動手段２０に送り、蓋開閉駆動手段２０はこの検知信号に基づいて吸気口蓋１９を開く。また誘導コイル７の加熱が終了したときは、通電検知手段が誘導コイル７への通電がなくなったことを検知して、制御部を介して検知信号を蓋開閉駆動手段２０に送り、蓋開閉駆動手段２０はこの検知信号に基づいて吸気口蓋１９を閉じる。従って、調理者が操作パネル９によって誘導コイル７の加熱を開始すると自動的に吸気口蓋１９が開き、誘導コイル７の加熱を終了させると自動的に吸気口蓋１９が閉じるようになっている。なお吸気口蓋１９が開いているときは、冷却ファン８が回転して冷却風吸気口１８から冷却風を吸気して、少なくとも誘導コイル７及び電源部６のいずれか一方を冷却するようになっている。
【００１０】
図３は、本発明の実施形態１に係る蓋開閉駆動手段２０の周辺部を示した拡大斜視図である。本実施形態１の蓋開閉駆動手段２０は、駆動源としてステッピングモータ４２を有し、このステッピングモータ４２はその先端に取り付けられた減速用のギアヘッド４３を回転する。ギアヘッド４３は、吸気口蓋１９に設けられた軸継手４４と係合しており、吸気口蓋１９は、ギアヘッド４３が回転することにより吸気口蓋１９の軸継手４４が設けられている方の辺（図３において下辺）を中心として回動する。このようにして、蓋開閉駆動手段２０によって、吸気口蓋１９の開閉が行われるようになっている。なお、図３に示す蓋開閉駆動手段２０は、吸気口蓋１９を開閉させる手段の一例であり、図３に示す方法以外の方法で吸気口蓋１９を開閉させるようにしてもよい。
【００１１】
なお冷却風吸気口１８に設けられた吸気口蓋１９は、トッププレート４の冷却風吸気口１８の周辺部を形成する材料と同じ材料及び同じ色合いで形成するようにしてもよい。吸気口蓋１９を形成する材料と、トッププレート４の冷却風吸気口１８の周辺部を形成する材料を同じにすることにより、吸気口蓋１９が閉じているときに冷却風吸気口１８及び吸気口蓋１９を目立たなくすることができ、トッププレート４の上面が広々とした印象となる。
またトッププレート４の側面部と流し台１に設けられた上面開口部２の内側壁面との隙間に設けられたゴムシール材１７は、本体外側筐体５の側面支持部１３とトッププレート４の間の緩衝材となるように略Ｌ字形状となるようにしてもよい。
さらにトッププレート４は、セラミック板等の非磁性体の材料から形成するようにしてもよい。またゴムシール材１７は、経時変化により凝固するシリコン等の充填材から形成するようにしてもよい。
【００１２】
本実施形態１では、冷却風吸気口１８が、調理器本体３の組み込まれた流し台１の上面と略同一平面上に配置され、冷却風排気口４０が、調理器本体３の組み込まれた流し台１の内部に配置されているため、冷却に必要な比較的冷たい空気を十分に得ることができ、また排気風は、例えば流し台１の前壁に当たって流し台１の内部に排出されるため、調理中に排気風が調理者に当たって不快感を生ずることがない。
さらに、蓋開閉駆動手段２０によって自動的に開閉する吸気口蓋１９が、調理器本体３の組み込まれた流し台１の上面と略同一平面上に配置されているため、組み込み式誘導加熱調理器を使用していないときに、トッププレート４の上面全体を調理の下準備等に使用することができる。
【００１３】
実施形態２．
図４は、本発明の実施形態２に係る組み込み式誘導加熱調理器の調理器本体を示す縦断面図である。なお、本実施形態２に係る組み込み式誘導加熱調理器は、調理器本体３に空気浄化装置２２を備えている点を除いて実施形態１に係る組み込み式誘導加熱調理器と同様であり、実施形態１に示す組み込み式誘導加熱調理器と同一の構成要素には同一の符号を付して、説明を省略する。また図４中の矢印は、冷却風の流れを示している。
図４に示す組み込み式誘導加熱調理器は、調理器本体３に空気浄化装置２２を備えており、この空気浄化装置２２には、凝縮器２４、凝縮水受け２５、油分除去フィルター２６、脱臭フィルター２７、風路ダクト２９等が備えられている。
【００１４】
ここで図４に示す組み込み式誘導加熱調理器の動作について説明する。誘導コイル７に通電が開始されると、上記のように通電検知手段が検知信号を制御部（図４において図示せず）を介して蓋開閉駆動手段２０に送り、蓋開閉駆動手段２０はこの検知信号に基づいて吸気口蓋１９を開く。また冷却ファン８が回転して、冷却風吸気口１８から冷却風の吸引を開始する。このとき吸引された冷却風は、トッププレート４の上面から吸入しているため、調理の際に鍋等の調理具から放出される水蒸気や油煙等を多く含むことがある。吸引された冷却風は、まず凝縮器２４で水蒸気を除去され、除去された水蒸気は水となって凝縮水受けに貯蔵される。そして冷却風は、油分除去フィルター２６を通過して油分を除去され、脱臭フィルター２７によって脱臭される。その後、冷却ファン８、風路ダクト２９を通過して調理器本体３の内部に向かい、少なくとも誘導コイル７及び電源部６のいずれか一方を冷却する。それから冷却風は、冷却風排気口４０から流し台１の内部に排出される。
【００１５】
本実施形態２では、調理器本体３に空気浄化装置２２を備えているため、冷却風が浄化され、調理器本体３の内部の誘導コイル等の汚れを抑制することができ、調理器本体３の内部の清掃の回数を減らすことができる。また凝縮器２４によって冷却風に含まれる水蒸気を除去するため、電源部６等に水分が付着せず、組み込み式誘導加熱調理器の故障等を防止することができる。
【００１６】
実施形態３．
図５は、本発明の実施形態３に係る組み込み式誘導加熱調理器を上面側から見た斜視図である。なお、本実施形態３に係る組み込み式誘導加熱調理器は、以下に示す点を除いて実施形態１に係る組み込み式誘導加熱調理器と同様であり、実施形態１に示す組み込み式誘導加熱調理器と同一の構成要素には同一の符号を付して、説明を省略する。
本実施形態３に係る組み込み式誘導加熱調理器では、吸気口蓋１９の下側の表面に非接触温度検出手段３２が設けられている。また冷却風吸気口１８は、誘導コイル７の場所を示す調理具指示円３０のほぼ後方に設けられている。なお本実施形態３では、各々の調理具指示円３０に対して１つずつ冷却風吸気口１８が設けられているものとする。さらに、冷却風吸気口１８に設けられた吸気口蓋１９は、図３に示すような蓋開閉駆動手段２０（図５において図示せず）によって、蓋支持軸３３（図５では後側の端辺）を中心に回動して開閉するようになっている。
【００１７】
本実施形態３では、誘導コイル７に通電が行われていない場合には吸気口蓋１９は閉じており、誘導コイル７に通電が行われたときは、通電検知手段からの検知信号によって誘導コイル７の調理具指示円３０のほぼ後方に設けられた吸気口蓋１９のみが蓋支持軸３３を中心として開くようになっている。これにより、開いている吸気口蓋１９の前方の誘導コイル７に通電が行われていることが分かり、誘導コイル７の通電状態を視覚的に確認することができる。
赤外線センサ等からなる非接触温度検出手段３２は、少なくとも１つ以上の吸気口蓋１９の下側の表面に設けられており、開いた状態において、それぞれの冷却風吸気口１８の前方にある調理具指示円３０に載置された調理具３１の表面温度を検出するようになっている。また非接触温度検出手段３２は、吸気口蓋１９の下側の表面に設けられているため、吸気口蓋１９の開閉角度に合わせて検出角度を変更することができるようになっている。
【００１８】
本実施形態３では、吸気口蓋１９の開閉角度を調整することにより非接触温度検出手段３２の検出角度を調整し、非接触温度検出手段３２が最高温度を示す検出角度で吸気口蓋１９を保持するようにしている。これは、非接触温度検出手段３２として赤外線センサ等を使用した場合に、検出角度が正確でないと実際の調理具３１の温度よりも低温を示すことが多く、測定温度のうち最高温度を表示させることで最も正確な検出結果が得られるからである。
【００１９】
図６は、本発明の実施形態３に係る組み込み式誘導加熱調理器の電気回路を示すブロック図である。  図６に示すように、本実施形態３に係る組み込み式誘導加熱調理器には商用電源から制御部を介して電力が供給されている。制御部には、電源部６及び操作パネル９が接続されており、調理者が操作パネル９操作することにより電源部６に電力が供給される。電源部６に通電が行われると、電源部６から誘導コイル７に高周波電流が送られ誘導コイル７が調理具３１の加熱を行う。このとき通電検知手段は、誘導コイル７への通電の有無を判断し、制御部を介して蓋開閉駆動手段２０に検知信号を送り、蓋開閉駆動手段２０は吸気口蓋１９の開閉を行う。
制御部には、非接触温度検出手段３２が接続されており、非接触温度検出手段３２の検出信号は、制御部を介して蓋開閉駆動手段２０に送られるようになっている。本実施形態３においては、蓋開閉駆動手段２０によって非接触温度検出手段３２の検出角度を変更するため、蓋開閉駆動手段２０は非接触温度検出手段３２の検出角度の角度調整手段としても機能する。
【００２０】
図７は、本実施形態３において非接触温度検出手段の検出角度を制御する方法を示したブロック図である。
制御部は、例えば誘導コイル７に一定時間以上通電が行われて調理具３１の温度がある程度安定した状態になったときに蓋開閉駆動手段２０に信号を送り、非接触温度検出手段３２の検出角度をある方向に一定範囲内で変化させる。このとき非接触温度検出手段３２は、調理具３１の温度をスキャンしてこの温度情報を制御部に送り、制御部は例えば温度勾配がプラスからマイナスに変わったところを最大温度を示す検出角度とみなす。このとき角度調整手段としての蓋開閉駆動手段２０は、行き過ぎた検出角度を調整して非接触温度検出手段３２が最高温度を示す検出角度で吸気口蓋１９を保持する。
なお調理者が調理中に鍋等の調理具３１を揺する場合等を考慮し、検出温度に急激な変化が生じた場合には「炒め物モード」として非接触温度検出手段３２の検出角度の制御又は温度の検出自体を停止するようにしてもよい。また非接触温度検出手段３２が最高温度を示す検出角度を見つける方法は、上記の方法以外の方法でもよい。
【００２１】
本実施形態３では、吸気口蓋１９に非接触温度検出手段３２が設けられており、吸気口蓋１９が蓋支持軸３３を中心として開閉し、非接触温度検出手段３２が誘導コイル７で加熱されている調理具３１の温度を検出する。このため、表示盤等にこの温度を表示させることにより調理具３１の温度を知ることができる。
また、角度調整手段としての蓋開閉駆動手段２０が、非接触温度検出手段３２の検出角度を調整し、非接触温度検出手段３２が最大温度を示す検出角度で吸気口蓋１９を保持するため、調理具３１の正確な温度を知ることができる。
【００２２】
実施形態４．
図８は、本発明の実施形態４に係る組み込み式誘導加熱調理器を上面側から見た斜視図である。なお、本実施形態４に係る組み込み式誘導加熱調理器は、以下に示す点を除いて実施形態１に係る組み込み式誘導加熱調理器と同様であり、実施形態１に示す組み込み式誘導加熱調理器と同一の構成要素には同一の符号を付して、説明を省略する。
本実施形態４に係る組み込み式誘導加熱調理器には、冷却風吸気口１８に内接する吸気口土手３４が備えられており、吸気口蓋１９は吸気口土手３４に取り付けられている。吸気口土手３４は、通電検知手段が誘導コイル７への通電が行われていることを検知すると、通電検知手段からの検知信号に基づいてトッププレート４の上面よりも突出するようになっている。またこれと同時に吸気口蓋１９も開くようになっている。
一方誘導コイル７への通電がなくなると、吸気口土手３４はトッププレート４の上面よりも低い位置まで埋没し、これと同時に吸気口蓋１９も閉まるようになっている。
【００２３】
また図８に示す組み込み式誘導加熱調理器は、吸気口蓋１９の下面に、表示盤３５、ゼロリセットボタン３６、表示切り替えボタン３７が設けられている。本実施形態４では、吸気口蓋１９が通電検知手段からの検出信号によって開口するのに合わせて誘導コイル７の加熱時間の計測が開始され、表示盤３５に経過時間が表示されるようになっている。これにより、加熱時間の長さを正確に計測することができ、調理をスムーズに行うことができる。またゼロリセットボタン３６を押すことで、押した時点からの加熱時間測定が可能であり、特に沸騰後の経過時間を知りたい調理等において有用である。さらに表示切り替えボタン３７により、経過時間のみならず現在時刻等も選択的に表示できるようになっている。
【００２４】
図９は、吸気口土手３４を上下に移動させ、同時に吸気口蓋１９の開閉を行う駆動手段を示す拡大斜視図である。この駆動手段は、モータ５０、巻き取りリール５１、ワイヤ５２、バネ５３等からなり、一本のワイヤ５２が吸気口土手３４と吸気口蓋１９の両方に取り付けられている。バネ５３は、下端を例えば本体外側筐体１３に取り付けられており、上端は吸気口土手３４に取り付けられて吸気口土手３４を上方へ押し上げるようになっている。また吸気口蓋１９は、ツルマキバネ（図示せず）等で開く方向への力がかかっている。
モータ５０が回転して巻き取りリール５１がワイヤ５２を緩めると、バネ５３等のバネ力によって吸気口土手３４がトッププレート４の上面よりも突出し、吸気口蓋１９が開く。逆にモータ５０が回転して巻き取りリール５１がワイヤ５２を巻き取ると、バネ５３等が縮んで吸気口土手３４はトッププレート４の上面よりも低い位置まで埋没し、吸気口蓋１９も閉まるようになっている。
【００２５】
本実施形態４では、冷却風吸気口１８に内接し、上下に移動可能な吸気口土手３４を備え、吸気口土手３４は、吸気口蓋１９が開くときにトッププレート４の上面よりも突出するため、調理中に鍋等の調理具から液体等をこぼした場合でも、液体等が冷却風吸気口１８の内部に浸入することがなく高い清掃性を得ることができる。
【００２６】
実施形態５．
図１０は、本発明の実施形態５に係る組み込み式誘導加熱調理器を上面側から見た斜視図である。なお、本実施形態５に係る組み込み式誘導加熱調理器は、以下に示す点を除いて実施形態１に係る組み込み式誘導加熱調理器と同様であり、実施形態１に示す組み込み式誘導加熱調理器と同一の構成要素には同一の符号を付して、説明を省略する。
本実施形態５に係る組み込み式誘導加熱調理器は、トッププレート４ではなく後方支持パネル１０の上面に冷却風吸気口５５が設けられている。例えば、トッププレート４の上面を広く使いたい場合や、トッププレート４への穴開け加工が難しい場合は、図１０のように後方支持パネル１０の上面に冷却風吸気口５５を設けるのが望ましい。
後方支持パネル１０の上面に冷却風吸気口５５を設けることで、トッププレート４への穴開け加工の必要がなくなり、製造コストの低減が可能となる。
【００２７】
なお本発明に係る組み込み式誘導加熱調理器は、上記の実施形態に限定されるものではなく、本発明の思想の範囲内において変形することができる。例えば、蓋開閉駆動手段２０や吸気口土手３４を駆動させる手段は、他の形式のものであってもよい。
【図面の簡単な説明】
【００２８】
【図１】実施形態１に係る組み込み式誘導加熱調理器を上面側から見た斜視図。
【図２】図１に示す組み込み式誘導加熱調理器の主要な構成部品を示す分解斜視図。
【図３】実施形態１に係る蓋開閉駆動手段２０の周辺部を示した拡大斜視図。
【図４】実施形態２に係る組み込み式誘導加熱調理器の調理器本体を示す縦断面図。
【図５】実施形態３に係る組み込み式誘導加熱調理器を上面側から見た斜視図。
【図６】実施形態３に係る組み込み式誘導加熱調理器の電気回路を示すブロック図。
【図７】本実施形態３において非接触温度検出手段の検出角度を制御する方法を示したブロック図。
【図８】実施形態４に係る組み込み式誘導加熱調理器を上面側から見た斜視図。
【図９】吸気口土手を上下に移動させ、同時に吸気口蓋の開閉を行う駆動手段を示す拡大斜視図。
【図１０】実施形態５に係る組み込み式誘導加熱調理器を上面側から見た斜視図。
【符号の説明】
【００２９】
１  流し台、２  上面開口部、３  調理器本体、４  トッププレート、５  本体外側筐体、６  電源部、７  誘導コイル、８  冷却ファン、９  操作パネル、１０  後方支持パネル、１１  前側支持部、１２  後側支持部、１３  側面支持部、１４  操作パネル係合部、１５  後方支持パネル係合部、１６  流し台支持部、１７  ゴムシール材、１８  冷却風吸気口、１９  吸気口蓋、２０  蓋開閉駆動手段、２１  蓋支持部、２２  空気浄化装置、２４  凝縮器、２６  油分除去フィルター、２７  脱臭フィルター、２９  風路ダクト、３０  調理具指示円、３１  調理具、３２  非接触温度検出手段、３３  蓋支持軸、３４  吸気口土手、３５  表示盤、３６  ゼロリセットボタン、３７  表示切り替えボタン、４０  冷却風排気口、４２  ステッピングモータ、４３  ギアヘッド、４４  軸継手、５０  モータ、５１  巻き取りリール、５２  ワイヤ、５３  バネ、５５  冷却風吸気口。
【図１】
2006059740.tif 000003
【図２】
2006059740.tif 000004
【図３】
2006059740.tif 000005
【図４】
2006059740.tif 000006
【図５】
2006059740.tif 000007
【図６】
2006059740.tif 000008
【図７】
2006059740.tif 000009
【図８】
2006059740.tif 000010
【図９】
2006059740.tif 000011
【図１０】
2006059740.tif 000012